(57)【要約】      （修正有）【課題】操作がより省力的で、より良い重量挙げ操作効率が得られる、省力的な重量挙げデバイスを提供する。【解決手段】サイクル１２と後方に設けられるプレスレバー１３と軸支座と前方に設けられるストッパー１６とが設けられるテーブル１１を有する車台デバイス１０と、互いに連接される上げ台３１と軸支機構３２とがあり、テーブルとの間にばね１７があり、軸支機構が軸支座１４と軸支する上げ台デバイス３０と、があり、重量挙げ操作において、省力効果が得られ、より良い重量挙げ操作効率が実現される。【選択図】図２
0003109851.tif 000002
【実用新案登録請求の範囲】
【請求項１】
サイクルと後方に設けられるプレスレバーと軸支座と前方に設けられるストッパーとを有するテーブルがある、車台デバイスと、
互いに結合している上げ台と軸支機構とがあり、当該上げ台と当該テーブルとの間にばねが設けられ、当該軸支機構が当該軸支座と軸支する、上げ台デバイスと、
がある、ことを特徴とする、省力的な重量挙げデバイス。
【請求項２】
当該テーブルには、サイクルが設けられる、ことを特徴とする、請求項１に記載の省力的な重量挙げデバイス。
【請求項３】
当該テーブルには、サイクルが設けられる、ことを特徴とする、請求項１に記載の省力的な重量挙げデバイス。
【請求項４】
当該軸支座には、ストッパーが設けられる、ことを特徴とする、請求項１に記載の省力的な重量挙げデバイス。
【請求項５】
当該テーブルの前方には、ばね座が設けられる、ことを特徴とする、請求項１に記載の省力的な重量挙げデバイス。
【請求項６】
当該ばね座には、中空の凹槽が設けられる、ことを特徴とする、請求項５に記載の省力的な重量挙げデバイス。
【請求項７】
当該ストッパーは、当該テーブルの前方から突出する、ことを特徴とする、請求項１に記載の省力的な重量挙げデバイス。
【請求項８】
当該上げ台には、基板と上げ板とがあり、当該基板の後方において、当該テーブルに対向して、当該ばねを位置付けするための位置付け突出部が設けられる、ことを特徴とする、請求項１に記載の省力的な重量挙げデバイス。
【請求項９】
当該軸支機構には、当該基板の両側に位置して、後方へ突出する、軸支板が設けられ、当該軸支板には、当該軸支座と軸支するための軸支穴が設けられる、ことを特徴とする、請求項８に記載の省力的な重量挙げデバイス。
【請求項１０】
当該軸支板には、当接部が設けられる、ことを特徴とする、請求項９に記載の省力的な重量挙げデバイス。
【考案の詳細な説明】
【技術分野】
【０００１】
本考案は、重量挙げデバイスに関し、特に、品物をリフトアップする時、操作の便利さや省力効果の向上が得られる省力的な重量挙げデバイスに関する。
【背景技術】
【０００２】
重量挙げデバイスは、重い品物を運搬することに用いられ、従来の重量挙げデバイス90の構成は、図１のように、プレスレバー91と、サイクル92と、L形状の上げ台93とがあり、当該上げ台93を重量物100に挿入してから、当該プレスレバー91を押し下げて、梃子の原理により、当該重量物100の一側をリフトアップして、リフトアップされた当該重量物100の下に、サイクルを有する台車(図に表示せず)を置き入れ、そして、当該重量物100の他の一側について、同じような操作をした後、簡単に当該重量物100を移動することができる操作であり、従来の重量挙げデバイスは、省力的な重量挙げの効果が得られ、当該重量挙げデバイスにおいては、一般的に、一人の操作が便利であるが、より重い品物をリフトアップする時や、より省力的な操作効果を得たい時、当該印加力のモーメントa(サイクル92の中心軸からプレスレバー91の作用点91Aまでの距離の長さ)と当該抵抗力のモーメントb(上げ台93の重量挙げ点93Aからサイクル92の中心軸までの距離の長さ)の関係について、更に、研究し続いて、機構を改良しなければならなく、そのため、当該重量挙げデバイスの操作について、如何に、より省力的な効果や効率的であるものに改良することは、業界や熟練者にとって、努力すべきの大切な課題である。
【０００３】
本考案の発明者は、従来の重量挙げデバイスの操作がより省力化できない欠点があるかつその構成設計が不十分なところがあるため、社會にフィードバックするかつ業界の発展を促進できるためのより便利的かつ省力化の重量挙げデバイスを提供できる解決方案を構え始め、そして、長期間にかけて、無数の研究と検討を重ねた後、本考案を提案した。
【考案の開示】
【考案が解決しようとする課題】
【０００４】
本考案の目的は、操作がより省力的で、より良い重量挙げ操作効率が得られる、省力的な重量挙げデバイスを提供する。
【０００５】
本考案の他の目的は、二段式の省力操作があり、重量挙げ操作した後、自動的に元の状態に回復する、省力的な重量挙げデバイスを提供する。
【課題を解決するための手段】
【０００６】
本考案は、上記の目的を達成するために、サイクルと後方に設けられるプレスレバーと軸支座と前方に設けられるストッパーとを有するテーブルがある、車台デバイスと、互いに結合している上げ台と軸支機構とがあり、当該上げ台と当該テーブルとの間にばねが設けられ、当該軸支機構が当該軸支座と軸支する、上げ台デバイスと、がある。
【０００７】
図面を参照しながら、本考案の目的や技術特徴及び他の効果について、説明する。
【考案を実施するための最良の形態】
【０００８】
図2、3を参照しながら、本考案に係わる省力的な重量挙げデバイスには、車台デバイス10と上げ台デバイス30と、があり、当該車台デバイス10には、テーブル11と、二つのサイクル12と、プレスレバー13と、があり、当該テーブル11の上方には、軸支座14が設けられ、当該軸支座14には、軸穴141があり、当該軸支座14の両側には、ストッパー142が設けられ、当該テーブル11の前方には、ばね座15とストッパー16とが設けられ、当該ばね座15には、ばね17が置き入れられる中空の凹槽151があり、当該テーブル11の前方から突出する当該ストッパー16は、当該ばね座15の下方に設けられ、当該テーブル11の後方には、中空の位置付け槽181が設けられるプレスレバー座18が設けられ、当該位置付け槽181は、当該プレスレバー13が挿入して結合することに供され、当該プレスレバー13は、当該テーブル11の後方に固定結合され、当該テーブル11の両側には、突出する保護板19が設けられ、当該サイクル12は、保護されるため、当該保護板19の下方に位置するように、当該テーブル11の両側に軸支される。
【０００９】
当該上げ台デバイス30には、上げ台31と軸支機構32とがあり、当該上げ台31は、約L形状の板体であり、基材311と上げ板312とがあり、当該基材311の後方において、当該テーブル11に対向して、位置付け突出部313が設けられ、当該位置付け突出部313は、当該ばね17が挿入して位置付けすることに供し、これにより、当該ばね17は、当該上げ台31とテーブル11との間に位置付けされ、当該上げ板312の先端には、容易に、重量物の下方に挿入して、重量挙げ操作をするための、傾斜面314が設けられ、当該軸支機構32には、当該基材311の両側に位置して、後方へ突出する、軸支板321が設けられ、当該軸支板321には、後下方の当接部322と軸支穴323とが設けられ、当該軸支穴323は、軸レバー324によって、当該テーブル11の軸支座14に軸支して、位置付けられ、当該上げ台31は、当該テーブル11の上に固定され、位置付けされる時、当該上げ台31の基材311は、当該ばね17によって、当接されることにより、当該軸支板321の当接部322は、当該軸支座14のストッパー142に係止され、これにより、当該省力的な重量挙げデバイスの使用する前の位置付け状態を形成する。
【００１０】
図４を参照しながら、本考案を使用する時には、当該上げ板312の傾斜面314を当該重量物100の下方に挿入してから、当該プレスレバー13を押し下げ、これにより、当該重量物100の一側が持ち上げられ、そして、持ち上げられた当該重量物100の下方の両側に、ローラーがある台車(図に表示せず)を置き入れ、その後、当該重量物100のもう一側の持ち上げと台車の置き入れをし、これにより、当該重量物100は、当該台車の支持により、押されて移動することができる。
【００１１】
本考案によれば、当該上げ台31は、当該テーブル11の上に軸支されるため、重量挙げをするため当該プレスレバー13を押し下げる時、第１の段階において、当該テーブル11は、当該上げ台31へ移動されると、当該ストッパー16は、当該上げ台31の基材311に当接して、当該ばね17を圧縮し、この時、当該プレスレバー13に対して、力を印加し続くと、第２の段階に移行して、当該重量物100は、省力的に持ち上げられる。
【００１２】
図５、６を参照しながら、本考案の第１の段階において、力を印加することにより、当該テーブル11は、更に、当該重量物100に近付き、そのため、第２の段階において、力を印加する時、当該上げ台31にある重量挙げ点312Aからサイクル12の中心軸までの距離の長さの抵抗力のモーメントcは、従来の重量挙げデバイスの抵抗力のモーメントbより、短くなり、これにより、同じな力のモーメントa(サイクル12の中心軸からプレスレバー13の作用点13Aまでの距離の長さ)を印加する場合、本考案は、より省力的な効果が得られる。
【００１３】
重量挙げ操作が終了された後、当該ばね17の回復弾力により、当該上げ台31は、自動的に移動して、元の、重量挙げをしない状態に戻り、この時、当該上げ台31の基板は、当該ストッパー16から離れ、当該軸支板321の当接部322は、再び、当該軸支座14のストッパー142に係止して、元の位置に位置付ける。
【００１４】
上記の説明によると、本考案は、実用新案登録請求の要件を満たすため、法に従って出願する。しかしながら、以上は、ただ、本考案のより良い実施例であり、本考案に関する技術を良く知っている熟練者によって、本考案の精神に従って様々な等価な修正や変更をするものは、全てが、本考案の実用新案登録請求の範囲に含まれている。
【図面の簡単な説明】
【００１５】
【図１】従来の重量挙げの構成概念図
【図２】本考案の立体概念図
【図３】本考案の分解概念図
【図４】本考案の重量挙げ操作の概念図
【図５】本考案の重量挙げ力のモーメントの概念図
【図６】本考案の重量挙げ力のモーメントの概念図
【符号の説明】
【００１６】
90…重量挙げデバイス
91…プレスレバー
92…サイクル
93…上げ台
91A…作用点
93A…重量挙げ点
10…車台デバイス
30…上げ台デバイス
11…テーブル
12…サイクル
13…プレスレバー
14…軸支座
141…軸穴
142…ストッパー
15…ばね座
16…ストッパー
151…中空の凹槽
17…ばね
18…プレスレバー座
181…位置付け槽
19…保護板
31…上げ台
32…軸支機構
311…基材
312…上げ板
313…位置付け突出部
314…傾斜面
321…軸支板
322…当接部
323…軸支穴
324…軸レバー
100…当該重量物
312A…重量挙げ点
13A…作用点
【図１】
0003109851.tif 000003
【図２】
0003109851.tif 000004
【図３】
0003109851.tif 000005
【図４】
0003109851.tif 000006
【図５】
0003109851.tif 000007
【図６】
0003109851.tif 000008